(57)【要約】【課題】塵埃の侵入を防止し得るリアプロジェクタを提供する。【解決手段】その前面側に開口部２１が形成されたキャビネット２と、開口部２１よりもやや大形に形成されると共にキャビネット２における開口部２１の口縁部２２とその外縁部３４とが互いに対向するようにキャビネット２の前面側に取り付けられてその背面側から投射された画像表示用の投射光Ｌを受光して画像を表示するスクリーンパネル３と、キャビネット２内に配設されて投射光Ｌを投射するプロジェクタユニット４とを備えたテレビジョン装置１であって、スクリーンパネル３は、防塵性を有する弾性体部材を外縁部３４と口縁部２２とで挟み込むようにしてキャビネット２に取り付けられている。【選択図】        図１
2004287207.tif 000002
【特許請求の範囲】
【請求項１】
その前面側に開口部が形成された外筐体と、前記開口部よりもやや大形に形成されると共に前記外筐体における当該開口部の口縁部とその外縁部とが互いに対向するように当該外筐体の前記前面側に取り付けられてその背面側から投射された画像表示用の投射光を受光して画像を表示するスクリーンパネルと、前記外筐体内に配設されて前記投射光を投射する投射機構とを備えたリアプロジェクタであって、
前記スクリーンパネルは、防塵性を有する弾性体部材を前記外縁部と前記口縁部とで挟み込むようにして前記外筐体に取り付けられているリアプロジェクタ。
【請求項２】
前記弾性体部材として独立気泡型の発泡樹脂が用いられている請求項１記載のリアプロジェクタ。
【発明の詳細な説明】
【０００１】
【発明の属する技術分野】
本発明は、スクリーンパネルの背面側から投射光を投射して画像を表示するリアプロジェクタに関するものである。
【０００２】
【従来の技術】
近年、ディジタル放送の拡大やディジタル方式のＡＶ（ａｕｄｉｏ−ｖｉｓｕａｌ）機器の普及に伴って、大画面を高画質で表示する表示装置の需要が拡大している。この種の表示装置として、出願人は、リアプロジェクション方式で画像を表示するリアプロジェクタ：１０を特開２００２−２９６６７８号公報に開示している。このリアプロジェクタでは、筐体（１３）内に配設された投射装置が、装置外部の画像情報出力装置から入力した画像情報に基づいて光源ランプから投射された投射光（白色光）を画像表示用の投射光に変調して、筐体の前面側に配設されたスクリーンパネル（スクリーン：２０）の背面から投射する。これにより、スクリーンパネルに画像が表示される。この場合、投射光を変調する変調手段や光源ランプを冷却するために、投射装置には冷却用ファンが配設されている。
【０００３】
一方、この種のリアプロジェクタのスクリーンパネルは、一般的に、投射光の投射による温度上昇に応じて熱膨張して上下方向および左右方向に伸長する。この場合、スクリーンパネルの外縁部を筐体に固定した構成では、膨張時における伸長が妨げられてスクリーンパネルに歪みが発生するおそれがある。このため、このリアプロジェクタでは、図４に示すように、スクリーンパネル（２０）の取り付けに関して、その外縁部を筐体（１３）に固定することなく、伸長可能な状態でスクリーンパネルを保持する構成が採用されている。この場合、スクリーンパネルの伸長時においてその外縁部と筐体における開口部の縁部とが擦り合わされて傷付くのを防止するために、スクリーンパネルの外縁部（または筐体の開口部の縁部）には、傷付き防止用の保護テープが貼付されている。したがって、膨張によるスクリーンパネルの歪みやスクリーンパネルの外縁部の傷付きが防止されている。
【０００４】
【特許文献１】
特開２００２−２９６６７８号公報（第６−８頁）
【０００５】
【発明が解決しようとする課題】
ところが、このリアプロジェクタには、以下の課題がある。すなわち、このリアプロジェクタでは、伸長可能な状態でスクリーンパネルを保持する構成を採用しているため、図４に示すように、スクリーンパネル（２０）の外縁部と筐体（１３）における開口部の口縁部との間に隙間が生じている。また、このリアプロジェクタでは、冷却用ファンによる送風で変調手段や光源ランプを冷却しているため、送風によって筐体内の空気が流動している。この場合、スクリーンパネルと筐体との間に隙間が生じているため、この隙間から空気と共に塵埃が筐体内に侵入するおそれがある。したがって、このリアプロジェクタには、隙間から侵入した塵埃が投射装置やスクリーンパネルの裏面に付着するおそれがあり、この点を改善するのが好ましい。
【０００６】
本発明は、かかる課題に鑑みてなされたものであり、塵埃の侵入を防止し得るリアプロジェクタを提供することを主目的とする。
【０００７】
【課題を解決するための手段】
上記目的を達成すべく本発明に係るリアプロジェクタは、その前面側に開口部が形成された外筐体と、前記開口部よりもやや大形に形成されると共に前記外筐体における当該開口部の口縁部とその外縁部とが互いに対向するように当該外筐体の前記前面側に取り付けられてその背面側から投射された画像表示用の投射光を受光して画像を表示するスクリーンパネルと、前記外筐体内に配設されて前記投射光を投射する投射機構とを備えたリアプロジェクタであって、前記スクリーンパネルは、防塵性を有する弾性体部材を前記外縁部と前記口縁部とで挟み込むようにして前記外筐体に取り付けられている。
【０００８】
このリアプロジェクタでは、スクリーンパネルが、その外縁部と外筐体の開口部の口縁部とで防塵性を有する弾性体部材を挟み込むようにして外筐体の前面側に取り付けられている。したがって、スクリーンパネルが熱膨張して伸長したとしても、スクリーンパネルと外筐体との間に隙間が生じないため、外筐体内への塵埃の侵入を確実に防止することが可能となる。この結果、投射装置やスクリーンパネルの裏面等への塵埃の付着を確実に防止することが可能となる。
【０００９】
また、本発明に係るリアプロジェクタは、上記のリアプロジェクタにおいて、前記弾性体部材として独立気泡型の発泡樹脂が用いられている。
【００１０】
このリアプロジェクタでは、弾性体部材として独立気泡型の発泡樹脂が用いられている。この場合、この独立気泡型の発泡樹脂は、その内部の気泡が互いに独立している。このため、塵埃が気泡を通過して内部に侵入する事態を確実に防止することが可能となる。また、独立気泡型の発泡樹脂は、その弾性変形率が大きいという性質を有している。このため、スクリーンパネルが大きく伸長したとしても、スクリーンパネルの外縁部と、外筐体の口縁部とに確実に密着する。したがって、スクリーンパネルが大きく伸長したとしても、スクリーンパネルの外縁部と弾性体部材、または外筐体の口縁部と弾性体部材とが離間して隙間が生じる事態を確実に防止することが可能となる。
【００１１】
【発明の実施の形態】
以下、添付図面を参照して、本発明に係るリアプロジェクタの好適な実施の形態について説明する。最初に、リアプロジェクション型テレビジョン装置（以下、「テレビジョン装置」ともいう）１の構成について、図面を参照して説明する。テレビジョン装置１は、本発明に係るリアプロジェクタの一例であって、図１に示すように、キャビネット（外筐体）２、スクリーンパネル３、プロジェクタユニット４、ミラー５、制御ユニット６およびシール部材７を備え、テレビ映像などの各種画像を表示可能に構成されている。キャビネット２は、背面側が傾斜した箱形に構成されると共に、その前面側に正面視長方形の開口部２１が形成されている。
【００１２】
スクリーンパネル３は、キャビネット２の開口部２１よりもやや大形の正面視長方形に形成されている。この場合、スクリーンパネル３は、図１，２に示すように、その外縁部３４と、キャビネット２における開口部２１の口縁部２２とが互いに対向するようにキャビネット２における前面側の内壁面（本発明における前面側）に取り付けられている。また、スクリーンパネル３は、上下左右４カ所において押さえ金具２３およびねじ２４によって前面方向に押し付けられることにより、外縁部３４と口縁部２２とでシール部材７を挟み込むようにして取り付けられている。また、スクリーンパネル３は、図２に示すように、フレネルレンズ３１、レンチキュラーレンズ３２および樹脂板３３を備えて構成され、背面側から投射された投射光Ｌを受光して各種画像を表示する。この場合、フレネルレンズ３１は投射光Ｌを平行光に変換し、レンチキュラーレンズ３２は平行光を拡大（拡散）光に変換する。また、樹脂板３３は、拡大光を透過すると共に、レンチキュラーレンズ３２を保護する保護板として機能する。
【００１３】
プロジェクタユニット４は、本発明における投射機構に相当し、図１に示すように、キャビネット２内の底面に配設されて、制御ユニット６から出力された画像信号に基づいて変調した投射光Ｌをミラー５に向けて投射する。具体的には、プロジェクタユニット４は、例えば、光源ランプと、光源ランプによって投射された白色光を投射光Ｌに変調するための変調手段（一例として、液晶パネル、入射側偏光板および射出側偏光板を備えた液晶ライトバルブ）と、投射光Ｌを拡大して投射する投射レンズ（いずれも図示せず）とを備えて構成されている。また、プロジェクタユニット４は、変調手段および光源ランプ等を冷却するための冷却ファン４１を備えている。ミラー５は、同図に示すように、キャビネット２内における上部の背面側に配設されて、プロジェクタユニット４によって投射された投射光Ｌをスクリーンパネル３に向けて反射する。
【００１４】
制御ユニット６は、一例として、チューナ、ＩＦ回路、音声検波回路、映像検波回路、増幅回路およびＣＰＵ（いずれも図示せず）などを備えて構成され、プロジェクタユニット４を統括的に制御する。また、制御ユニット６は、例えば図外のリモートコントローラの操作によって選択されたチャンネルに対応する周波数の放送信号を抽出して、画像信号をプロジェクタユニット４に出力すると共に音声信号を図外の音声出力部に出力する。
【００１５】
シール部材７は、本発明における弾性体部材に相当し、防塵性に優れ、かつ弾性変形率の大きい独立気泡型の発泡スポンジ（発泡樹脂）によって形成されている。この場合、シール部材７は、開口部２１よりも若干大きめの開口部を中央部に有する正面視ロ字状に形成されると共にその断面形状が四角形に形成され、キャビネット２の口縁部２２（スクリーンパネル３の外縁部３４）に沿わせて配設されている。また、シール部材７は、図２に示すように、スクリーンパネル３の外縁部３４とキャビネット２の口縁部２２との間において、その下端部がキャビネット２によって支持されると共にその上端部とキャビネット２との間に隙間が生じるように配設されて、スクリーンパネル３によって押し付けられることで外縁部３４および口縁部２２に密着させられている。
【００１６】
次に、テレビジョン装置１の全体的な動作について、図面を参照して説明する。このテレビジョン装置１では、メインスイッチが投入された際には、プロジェクタユニット４に電源が供給される。この際に、プロジェクタユニット４の光源ランプが発光して投射光Ｌ（白色光）を投射し、冷却ファン４１が送風を開始する。次に、リモートコントローラの操作によってチャンネルが選択された際には、制御ユニット６が、対応する周波数の放送信号を抽出して、画像信号および音声信号を出力する。これに応じて、プロジェクタユニット４は、光源ランプによって投射された投射光Ｌを画像信号に基づく画像表示用の投射光Ｌに変調する。
この際に、変調された投射光Ｌは、図１に示すように、ミラー５で反射されてスクリーンパネル３の背面に投射される。これにより、スクリーンパネル３に画像が表示される。また、図外の音声出力部は、音声信号に基づく音声を出力する。
【００１７】
一方、キャビネット２内では、冷却ファン４１による送風によって空気が流動している。この場合、スクリーンパネル３の外縁部３４とキャビネット２の口縁部２２との間にシール部材７が挟み込まれているため、キャビネット２内の空気の流動に伴うこの部位からの空気の流入が阻止される結果、塵埃の侵入が防止される。また、スクリーンパネル３は、投射光Ｌの投射による発熱によって時間の経過と共に徐々に熱膨張する。この場合、スクリーンパネル３は、図１に示すように、その下端部がキャビネット２によって支えられているため、熱膨張によって上方および左右方向に伸長する。この際に、シール部材７は、弾性変形率の大きい独立気泡型の発泡スポンジで形成されているため、図３に示すように、スクリーンパネル３の外縁部３４、およびキャビネット２の口縁部２２にそれぞれ密着しつつスクリーンパネル３の伸長によって変形させられる。このため、外縁部３４とシール部材７とが離間したり、口縁部２２とシール部材７とが離間したりしてその隙間から塵埃が侵入する事態が確実に防止される。
【００１８】
このように、このテレビジョン装置１によれば、その外縁部３４とキャビネット２の口縁部２２とでシール部材７を挟み込むようにしてスクリーンパネル３をキャビネット２における前面側の内壁面に取り付けたことにより、スクリーンパネル３が熱膨張して伸長したとしても、スクリーンパネル３とキャビネット２との間に隙間が生じないため、キャビネット２内への塵埃の侵入を確実に防止することができる。したがって、プロジェクタユニット４やスクリーンパネル３の裏面等への塵埃の付着を確実に防止することができる。
【００１９】
また、各気泡が互いに独立している構造の独立気泡型の発泡スポンジでシール部材７を形成したことにより、塵埃が気泡を通過してキャビネット２内に侵入する事態を確実に防止することができる。また、独立気泡型の発泡スポンジの弾性変形率が大きいため、スクリーンパネルが大きく伸長したとしても、シール部材７が、スクリーンパネル３の外縁部３４、およびキャビネット２の口縁部２２に密着しつつ変形する。この結果、スクリーンパネルが大きく伸長したとしても、外縁部３４とシール部材７とが離間したり、口縁部２２とシール部材７とが離間したりしてその隙間から塵埃が侵入する事態を確実に防止することができる。
【００２０】
なお、本発明は、上記した本発明の実施の形態に限定されない。例えば、本発明の実施の形態では、独立気泡型の発泡性スポンジでシール部材７を形成した例について説明したが、シール部材の材質は、これに限定されず、スポンジ以外の独立気泡型の発泡性樹脂や連続気泡型の発泡性樹脂、およびゴムなどを採用することもできる。また、シール部材７の断面形状は、四角形に限定されず、円形や楕円形に形成することもできるし、中空のパイプ状に形成することもできる。また、本発明の実施の形態では、チューナ、ＩＦ回路、音声検波回路および映像検波回路などで構成された制御ユニット６を備えた例について説明したが、これらの回路は、必ずしも必要とはされず、外部装置から入力した画像信号に基づく画像のみを表示するリアプロジェクションモニタに適用することもできる。また、音声出力部をキャビネット２の外部に別体に構成することもできるし、音声出力部を備えずに画像の表示のみを行う構成を採用することもできる。
【図面の簡単な説明】
【図１】テレビジョン装置１の概略構成を示す側面断面図である。
【図２】キャビネット２、スクリーンパネル３およびシール部材７の構成を示す側面断面図である。
【図３】シール部材７が変形した状態の側面断面図である。
【図４】従来の筐体（１３）およびスクリーンパネル（２０）の構成を示す側面断面図である。
【符号の説明】
１  テレビジョン装置、２  キャビネット、３  スクリーンパネル、４  プロジェクタユニット、７  シール部材、２１  開口部、２２  口縁部、３４  外縁部、Ｌ  投射光
【図１】
2004287207.tif 000003
【図２】
2004287207.tif 000004
【図３】
2004287207.tif 000005
【図４】
2004287207.tif 000006